(57)【要約】【課題】あらかじめ靴にセットし、できるだけ手を使わずに靴が履け、かつ携帯に便利な柔軟性のある靴ベラを提供する。【解決手段】靴踵部の深さより長いヘラ部４と、前記ヘラ部４に続く靴踵の保護部２とからなり、前記靴踵の保護部２が靴踵の幅より広くかつ幅方向の両端を閉じた袋を形成し、靴の踵の頂部が袋の内側に入り込み、かつ両端閉じ部３が靴踵の両側に引っかかる形状に構成され、柔軟性のあるプラスチック材にて作られたこと事を特徴とする。【選択図】  図１
2013252158.tif 000002
【特許請求の範囲】
【請求項１】
靴踵部の深さより長いヘラ部と、前記ヘラ部に連続し靴踵部頂部で靴踵の背面に折りかえされた靴踵の保護部とから構成され、前記靴踵の保護部が靴踵の幅より広くかつ幅方向の両端を閉じた袋状を成し、靴の踵の頂部が袋の内側に入り込みかつ両端の閉じ部が靴踵の両端部に引っかかる形状にて構成され、柔軟性のあるプラスチック材にて作られたこと事を特徴とする靴ベラ。
【請求項２】
靴踵部の深さより長いヘラ部と、前記ヘラ部に連続し上端が靴踵の背面に沿って下向きに折り曲げられた靴踵の保護部と、前記靴踵の保護部に連続して上向きに折り曲げた把持部とから構成され、柔軟性のあるプラスチック材にて作られたこと事を特徴とする靴ベラ。
【請求項３】
ヘラ部の厚さが０．３ｍｍから１．５ｍｍであり、柔軟性があるポリエチレン、あるいはポリスチレンにて作られたこと特徴とする請求項１または請求項２に記載した靴ベラ。
【発明の詳細な説明】
【技術分野】
【０００１】
本発明は、靴を履くとき靴の踵部を踏み潰さず、スムーズに履ける靴ベラに関し、特に、靴踵部を踏み潰すことが多い学童および身体的理由から靴が履きにくい人に好適な靴ベラを提供することを目的としている。
【背景技術】
【０００２】
従来、靴ベラは靴を履くときの補助道具として普及している。大別すると玄関先におく長尺タイプと、携帯に便利な短尺タイプがある。これらの靴ベラは靴に挿入する部分の形状がヘラ状に形成され、材質は硬いプラスチックあるいは金属が使われている。
また、特に下肢の機能が低下した老人や身体に障害を持つ人向けに、あらかじめ靴の踵部に靴ベラを取り付け、靴を履いたのち取り外すタイプの靴ベラも提案されている。
【０００３】
特許文献１と２は、靴の踵部を靴ベラの背面に設けられたクリップにより挟み込むものである。
靴ベラを踵部に取り付けた後、手を使わずに靴を履こうとすると、靴ベラが靴の中に入り込みあるいはずれて踵部から外れることがある。前記文献は、この対策に関するものである。
特許文献３は、携帯式のキャッシュカードタイプの靴ベラであり、柔軟性を有する平板状のカードに靴の中に滑り落ちるのを防止するショルダー又は鉤形部分を形成したものである。
【先行技術文献】
【特許文献】
【０００４】
【特許文献１】特開２０１１−１９４０４９号公報
【特許文献２】特開２０１１−９２６６８号公報
【特許文献３】特表２００２−５０３９８５号公報
【発明の開示】
【発明が解決しようとする課題】
【０００５】
特許文献３に開示された靴ベラは、携帯に便利であるが、靴踵を保護する観点からは、広く普及している従来型靴ベラ、即ち硬いプラスチックあるいは金属等で作られ、踵にあてる表面側を踵の曲面に沿って湾曲して成型された靴ベラより劣る。一方、硬い靴ベラは長い間にはポケットを損傷するなど携帯には不向きである。
特許文献1,2に開示された靴ベラは、硬い靴ベラをあらかじめ靴踵部にクリップし、手を使わず靴を履き、履いた後靴から引き出すものである。特許文献１にも記載されているように、一般的に言って、靴ベラを踵部に取り付けた後、手を使わずに靴を履こうとすると、靴ベラが靴の中に滑り込む或いは外れることがある。又、強くクリップすると特に革靴の場合、靴踵背面に傷を付ける恐れがある。
【課題を解決するための手段】
【０００６】
請求項１の発明は、靴踵部の深さより長いヘラ部と、前記ヘラ部に連続し靴踵部頂部で靴踵の背面に折りかえされた靴踵の保護部とから構成され、前記靴踵の保護部が靴踵の幅より広くかつ幅方向の両端を閉じた袋状を成し、靴の踵の頂部が袋の内側に入り込みかつ両端の閉じ部が靴踵の両端部に引っかかる形状にて構成され、柔軟性のあるプラスチック材にて作られたこと事を特徴とする靴ベラである。
この靴ベラは、靴にあらかじめセットし、手を使わず履くことができる。保護部の袋の中に靴踵部頂部を入れかつ引っ掛け部が靴踵の両端部に位置するようにセットし、足底を靴ベラの踵保護部に接触しながら前方斜め下方向へ挿入して靴を履く。このとき靴ベラには足底の動きと同じ方向へ力が加わり滑りを生じるが、靴ベラは保護部の袋内にある靴踵の頂部と靴踵の両端部に支えられ、靴踵部から外れることがほとんどない。靴ベラは靴を履いた後、引き抜く。身体的に靴ベラを手で把持しながら使うことが難しい人にとって最適である。又、柔軟性のある素材のため携帯時にポケットを損傷することを軽減でき携帯に適している。
【０００７】
請求項２の発明は、靴踵部の深さより長いヘラ部と、前記ヘラ部に連続し上端が靴踵の背面に沿って下向きに折り曲げられた靴踵の保護部と、前記靴踵の保護部に連続して上向きに折り曲げられた把持部とから構成され、柔軟性のあるプラスチック材にて作られたこと事を特徴とする靴ベラである。
この靴ベラの使い方は、靴ベラの保護部が靴踵頂部を覆う位置にセットし、足を靴に挿入する。このとき靴ベラは、靴内側に引き込まれるので把持部を手で掴んでこれを防ぐ。靴ベラは靴を履いた後、軽く踵を浮かすと容易に引き抜くことができる。この靴ベラは、靴にセットし易いため、靴を脱いだら予め靴にセットする習慣を付けることにより、靴ベラなしで履こうとして踵部を踏みつけ踵部を損傷することを未然に防ぐことができる。前記は、幼児や学童の躾の教育にも適している。又、柔軟性のある素材のため携帯時にポケットを損傷することを軽減でき携帯に適している。更には番号、名前等をつけ、下足場における識別札の役割を兼ね備えることもできる。
【０００８】
請求項３は、ヘラ部が厚さ０．３ｍｍから１．５ｍｍであり、その材質が柔軟性のあるポリエチレンあるいはポリスチレンにて作られたこと特徴とする請求項１または請求項２に記載した靴ベラである。
従来から、柔軟性のある素材を使った靴ベラとして、皮製または薄い板状のカード型があるが、皮製は柔らかすぎ、カード型は薄いために破損しやすい。
請求項１，２に記載した柔軟性を有するプラスチック材として、多くの試作とテストの結果、請求項３に示す材質、厚さが最適であることがわかった。また、これらの素材を使うことにより、一体成型が可能となり低価格で提供できる。
【発明の効果】
【０００９】
靴の踵の保護部を有する靴ベラをあらかじめ靴にセットし、足を挿入することにより靴の踵部を損傷することなく靴を履くことができる。又、柔軟性のある素材のため携帯時にポケットを損傷することを軽減でき携帯に適している。
【発明を実施するための形態】
【００１０】
本発明の実施例１における靴ベラＡの正面図を図1に、図１の側面図を図２に、図１のＡ−Ａ断面図を図３に、前記靴ベラＡを靴へセットした状態を示す説明図1と説明図２をそれぞれ図４と図５に示す。
実施例２における靴ベラＢの斜視図を図６に、前記靴ベラＢを靴へセットする説明図３を図７に示す。
【００１１】
本発明の実施例１について、以下に詳述する。
図1に示すように、実施例１の靴ベラＡ１は、靴踵保護部２と、両端閉じ部３と、ヘラ部４とから構成される。保護部２は、図２と図３に示す様にヘラ部４に続く靴踵の上端部が靴踵の背面側に折り返され、両端が両端閉じ部３にて圧着され袋状に形成される。ヘラ部の長さＬは靴踵深さより長く、ヘラ部の幅Ｗは靴踵部の内幅と同等以下に作られている。各種試作、使用の結果から各部の寸法は以下のとおりである。
ヘラ部の長さＬは靴踵深さの１．２から１．５倍、靴踵保護部の高さＬ１は１５から３０ｍｍ、靴踵保護部２の幅は靴踵幅の１．２以上が望ましい。
尚、靴踵の深さおよび靴踵部の幅は、靴のサイズあるいは種類によって変化するが、一般に子供用のサイズ１５ｃｍの靴では、靴踵の深さおよび幅共は約６ｃｍ、大人用のサイズ２５ｃｍの靴では、靴踵の深さおよび幅共は約７ｃｍであった。前記の寸法は、短靴の場合であり、長靴あるいはブーツは対象外である。
【００１２】
図４と図５は前記靴ベラＡ１を靴にセットした状況を示している。図４に示す様に靴ベラＡ１は、靴踵の幅方向両端部に靴ベラＡ１の引っ掛け部５を引っ掛ける。このときヘラ部の長さＬは靴踵部深さより長いため靴ベラＡ１は、靴底に対して斜めにセットされる。図５は靴踵背面からの斜視図である。図５に示す様に靴踵の頂部は保護部袋内に入り込んでいる。
この状態で足を滑り込ませると、靴ベラは足裏に接触し、靴前方斜め下に引き込まれる力を受ける。
しかしながら靴踵保護部袋内の靴頂部と靴踵両端部で靴ベラＡ１を支えているため靴ベラＡ１が靴の中に引きこまれることを防いでいる。靴ベラＡ１は柔軟性を有する素材にて作られているため、靴踵部より長いヘラ部は足の挿入により、靴踵部と靴底部にそって折れ曲がり、足の挿入には支障ない。靴ベラＡ１は斜めにセットされるが、これにより足裏を前方斜め下に滑らす効果と靴踵部を後方斜め下方向の力を生じるため足を挿入しやすくすると共に踵を垂直方向へつぶす事を防いでいる。靴を履いたあと、靴ベラＡ１を引き抜く。このとき気持ち踵を浮かすと容易に靴ベラＡ１を引き抜くことができる。
へラ部の長さＬは重要である。へラ部の長さＬが靴踵深さと同等以下の場合、靴ベラを靴にセットしたとき、靴ベラは靴踵部に沿って垂直になる。この状態で足を挿入すると、足底が靴ベラの靴踵保護部に接触して上記を前転させ、靴踵部から外れることが多くなる。へラ部が長い分には前記問題は生じないが、あまり長すぎると靴を履いたあと、靴ベラ１を引き抜き難くなる。
尚、靴ベラＡ１の引っ掛け部５は、図１に示すようにヘラ部４と保護部２の境界の両端部に概略半円状の切込みいれることによって形成されている。これは靴踵部両端に引っかかり易くかつ下記理由にて強度的にも優れている。すなわち、靴を履く時靴ベラは、靴ベラの両端にある引っ掛け部５を結ぶ線に沿って、ヘラ表面方向に折れ曲がる。このためへラ部と保護部が例えば直角に交わる様な境界を持つとこの部分に応力集中がおき破断しやすい。
【００１３】
本発明の実施例２における靴ベラについて、以下に詳述する。
図６に示すように実施例２の靴ベラＢ７は、ヘラ部４と、靴踵の保護部２と、把持部８とから構成される。ヘラ部４は先端部が鈍角にヘラ部４の表面方向へ滑らかに折れ曲がっている。保護部２はヘラ部４の上端部を裏面側に折り返さし、これに続いて把持部８がヘラ表面方向へ折り曲げられ形成されている。ヘラ部の長さは靴踵深さより長く、ヘラ部の幅は靴踵部の内幅と同等以下に作られている。各種試作、テストの結果から、ヘラ部の長さは靴踵深さの１．２から１．５倍程度、保護部２の折り返しは２０-３０ｍｍ、把持部の長さは２０ｍｍ程度が望ましい。
又、折り曲げの角度を表面側の対向面の角度であらわすとヘラ部の先端については１２０度程度、保護部について２７０度程度、把持部について９０度程度が望ましい。ただし前記折り返し角度について、素材が柔軟性を持つため厳密に規制するものではない。
【００１４】
図７は、靴ベラＢ７を靴にセットした状況を示している。図７から分かるよう実施例２の靴ベラＢ７は靴踵の頂部に被せる形でセットされる。このときヘラ部４の長さは靴踵部深さより長いため靴底に対して斜めにセットされる。
把持部８を手で把持しながら足を滑り込ませると、靴ベラＢ７に沿って足が挿入され容易に靴を履くことができる。
靴ベラＢ７は柔軟性を有する素材にて作られているため、靴踵部より長いヘラ部４は足の挿入により、靴踵部と靴底部にそって折れ曲がり、足の挿入には支障ない。靴ベラの斜めセットは、足裏を前方斜め下に滑らす効果と靴踵部を後方斜め下方向の力を生じるため足を挿入しやすくすると共に踵を垂直につぶす事を防いでいる。靴を履いたあと、靴ベラＢ７を引き抜く。このとき気持ち踵を浮かすと更に容易に靴ベラＢ７を引き抜くことができる。
又、靴ベラＡ１および靴ベラＢ７のへラ部４は従来型の靴ベラと同様に、中心線６と直角方向にわずかに湾曲している。ただし本発明に関わる靴ベラは、柔軟性のあるプラスチックにて作られているため、前記湾曲はあまり重要でなく平板上でも差し支えない。
更に本発明は、プラスチックの一体成型に適している。このため靴ベラの厚さを局所的に変える事も容易である。この場合、靴ベラ全体の平均的な厚さに対して、柔軟性が欲しいへラ部先端はやや薄く、強度が必要な踵保護部は厚くすることがより望ましい。
【図面の簡単な説明】
【００１５】
【図１】実施例１の正面図である。
【図２】図１の側面図ある。
【図３】図１のＡ−Ａ断面図である。
【図４】実施例１の説明図１である。
【図５】実施例１の説明図２である。
【図６】実施例２の斜視図である。
【図７】実施例２の説明図である。
【符号の説明】
【００１６】
１：靴ベラＡ
２：靴踵保護部
３：両端閉じ部
４：ヘラ部
５：引っ掛け部
６：ヘラ中心線
７：靴ベラＢ
８：把持部
Ｌ：へラ部の長さ
Ｗ：へラ部の幅
Ｌ１：保護部の高さ
【図１】
2013252158.tif 000003
【図２】
2013252158.tif 000004
【図３】
2013252158.tif 000005
【図４】
2013252158.tif 000006
【図５】
2013252158.tif 000007
【図６】
2013252158.tif 000008
【図７】
2013252158.tif 000009